(57)【要約】テレビジョン信号受信器（２２）に含まれるか、該テレビジョン受信器として実施されるシステム、装置及び／又は方法は、補助データと補助ビデオ出力信号とを同期化させ（１００）、適切に字幕を補助ビデオ信号に挿入する。一形態では、テレビジョン信号受信器は主ビデオ信号と補助ビデオ信号とを、補助データを補助ビデオ信号に挿入する時点及び／又は位置を確かめるために、関連させる。例示的方法では、主テレビジョン信号のビデオ部分と補助出力テレビジョン信号のビデオ部分との間のフィールド情報がトラッキングされて該２つの部分の間のフィールド反転を判定する（５０）。主テレビ信号のビデオ部分と補助出力テレビジョン信号のビデオ部分との間のフィールド反転を判定することを通じて、字幕、拡張データ・サービスなどのような補助データが補助テレビジョン信号出力にそこに供給されるビデオ・データの配列として適切な配列で供給される（挿入される）。補助データを適切に配列することによって補助データが適切にテレビジョン信号の補助ビデオ部分とともに補助テレビジョン出力に供給されることが可能となる。更に、該システム、方法及び／又は装置は逆インタレーサが用いられる（順次走査画像に適した信号を生成する）場合にはフィールド遅延を備える（７０）。
2005524295.tif 000002
【特許請求の範囲】
【請求項１】
テレビジョン信号処理システム（２２）において、補助データを補助ビデオ出力信号に挿入する方法（１００）であって；
ビデオ成分（１４）及び補助データ成分（１６）を有するテレビジョン信号（１１）を受信する工程（１０２）；
該テレビジョン信号（１１）を処理して主ビデオ信号及び補助ビデオ信号を該ビデオ成分から得る工程（１０４）；
該テレビジョン信号を処理して補助データを該補助データ成分から抽出する工程（１０６）；
該抽出補助データと該補助ビデオ信号とを該主ビデオ信号を用いて同期化させる工程（１０８）；及び
該同期化補助データと該補助ビデオ信号とを該テレビジョン信号処理システムの補助出力（４２）に出力する工程（１１０）；
を有することを特徴とする方法。
【請求項２】
請求項１記載の方法（１００）であって、該テレビジョン信号を処理して補助データを該補助データ成分（１６）から抽出する工程（１０６）が字幕データを有する補助データを抽出する工程を含むことを特徴とする方法。
【請求項３】
請求項１記載の方法（１００）であって：
ビデオ成分（１４）及び補助データ成分（１６）を有するテレビジョン信号を受信する工程（１０２）は複数フレーム（１８）で、該複数フレームの各フレームが第１フィールド及び第２フィールド（ｆ１，ｆ２）を有するもの、から成るビデオ成分を有するテレビジョン信号を受信する工程を含み；
該テレビジョン信号を処理して主ビデオ信号及び補助ビデオ信号を該ビデオ成分（１４）から得る工程（１０４）は複数フレーム（１８）で、該複数フレームの各フレームが第１フィールド及び第２フィールド（ｆ１，ｆ２）を有するもの、を有する主ビデオ信号を得る工程、及び、複数フレーム（１８）で、該複数フレームの各フレームが第１フィールド及び第２フィールド（ｆ１，ｆ２）を有するもの、を有する補助ビデオ信号を得る工程、を含み；かつ
該抽出補助データと該補助ビデオ信号とを該主ビデオ信号を用いて同期化させる工程（１０８）は、フィールド反転が該補助ビデオ信号の該フレームと該主ビデオ信号の該フレームとの間で存在するかを判定する工程（５０）を含むことを特徴とする方法。
【請求項４】
請求項３記載の方法（１００）であって、該抽出補助データと該補助ビデオ信号とを該主ビデオ信号を用いて同期化させる工程（１０８）は該補助ビデオ信号の該フレームのフィールドを、フィールド反転が該主ビデオ信号と該補助ビデオ信号との間で存在すると判定される（５０）場合に、反転させる工程（６４）を含むことを特徴とする方法。
【請求項５】
請求項４記載の方法（１００）であって、該抽出補助データと該補助ビデオ信号とを該主ビデオ信号を用いて同期化させる工程（１０８）は該補助ビデオ信号のフレームの出力フィールドを、逆インタレーサが用いられる場合に、反転させる工程（７０）を含むことを特徴とする方法。
【請求項６】
請求項１記載の方法（１００）であって、該抽出補助データと該補助ビデオ信号とを該主ビデオ信号を用いて同期化させる工程（１０８）は該主ビデオ信号の垂直ブランキング期間から導き出された垂直割り込み信号を利用する工程を含むことを特徴とする方法。
【請求項７】
テレビジョン信号処理システム（２２）であって：
信号プロセッサ（３０）；
該信号プロセッサに結合されたテレビジョン信号チューナ（２８）；
該信号プロセッサに結合された補助データ処理回路（３６）；
該信号プロセッサに結合された補助ビデオ信号出力（４２）；及び
該信号プロセッサに結合され、プログラム命令（３１）で、該信号プロセッサによって実行された場合に、該テレビジョン信号処理システムに：
ビデオ成分（１４）及び補助データ成分（１６）を有するテレビジョン信号（１１）を該チューナによって受信する工程（１０２）；
主ビデオ信号及び補助ビデオ信号を該受信テレビジョン信号の該ビデオ成分から得る工程（１０４）；
補助データを該受信テレビジョン信号の該補助データ成分から該補助データ処理回路によって抽出する工程（１０６）；
該抽出補助データと該補助ビデオ信号とを該主ビデオ信号を用いて同期化させる工程（１０８）；及び
該同期化補助データと該補助ビデオ信号とを該補助出力に出力する工程（１１０）；
を行わせるもの、を含むメモリ（３２）；
を有することを特徴とするテレビジョン信号処理システム。
【請求項８】
請求項７記載のテレビジョン信号処理システム（２２）であって、該メモリ（３２）は別のプログラム命令（３１）を有し、該別のプログラム命令は、該信号処理プロセッサによって実行された場合に、該テレビジョン信号処理システムに、該受信テレビジョン信号を処理して補助データを該補助データ成分から字幕データを有する該補助データを介して抽出する工程（１０６）を行わせることを特徴とするテレビジョン信号処理システム。
【請求項９】
請求項７記載のテレビジョン信号処理システム（２２）であって、該メモリ（３２）は
別のプログラム命令（３１）を有し、該別のプログラム命令は、該信号処理プロセッサによって実行された場合に、該テレビジョン信号処理システムに：
ビデオ成分及び補助データ成分を有するテレビジョン信号を、該チューナを介して、受信する工程（１０２）；
を行わせ、該ビデオ成分は複数フレーム（１８）で、該複数フレームの各フレームが第１フィールド及び第２フィールド（ｆ１，ｆ２）を有するもの、を有し；
更に、該信号プロセッサを介して、該テレビジョン信号を処理して主ビデオ信号及び補助ビデオ信号を該ビデオ成分から得る工程（１０４）；
を行わせ、該主ビデオ信号は複数フレーム（１８）で、該複数フレームの各フレームが第１フィールド及び第２フィールド（ｆ１，ｆ２）を有するもの、を有し、該補助ビデオ信号が複数フレーム（１８）で、該複数フレームの各フレームが第１フィールド及び第２フィールド（ｆ１，ｆ２）を有するもの、を有し；
更に、該抽出補助データと該補助ビデオ信号とを該主ビデオ信号を用いて同期化させる工程（１０８）；
を行わせ、該工程は、フィールド反転が該補助ビデオ信号の該フレームと該主ビデオ信号の該フレームとの間で存在するかを判定する工程（５０）を含むことを特徴とするテレビジョン信号処理システム。
【請求項１０】
請求項９記載のテレビジョン信号処理システム（２２）であって、該メモリ（３２）は別のプログラム命令（３１）を有し、該別のプログラム命令は、該テレビジョン信号処理回路によって実行された場合に、該テレビジョン信号処理システムに、該抽出補助データと該補助ビデオ信号とを該主ビデオ信号を用いて同期化させる工程（１０８）を行わせ、該工程は該補助ビデオ信号の該フレームのフィールドを、フィールド反転が該主ビデオ信号と該補助ビデオ信号との間で存在すると判定される（５０）場合に、反転させる工程（６４）を含むことを特徴とするテレビジョン信号処理システム。
【請求項１１】
請求項１０記載のテレビジョン信号処理システム（２２）であって、該メモリ（３２）は別のプログラム命令（３１）を有し、該別のプログラム命令は、該テレビジョン信号処理回路によって実行された場合に、該テレビジョン信号処理システムに、該抽出補助データと該補助ビデオ信号とを該主ビデオ信号を用いて同期化させる工程（１０８）を行わせ、該工程は該補助ビデオ信号の該フレームの出力フィールドを、逆インタレーサが用いられる場合に、反転させる工程（７０）を含むことを特徴とするテレビジョン信号処理システム。
【請求項１２】
請求項７記載のテレビジョン信号処理システム（２２）であって、該メモリ（３２）は別のプログラム命令（３１）を有し、該別のプログラム命令は、該テレビジョン信号処理回路によって実行された場合に、該テレビジョン信号処理システムに、該抽出補助データと該補助ビデオ信号とを該主ビデオ信号を用いて同期化させる工程（１０８）を行わせ、該工程は該主ビデオ信号の垂直ブランキング期間から導き出された垂直割り込み信号を利用する工程を含むことを特徴とするテレビジョン信号処理システム。
【請求項１３】
テレビジョン信号受信器（２２）であって：
テレビジョン信号を処理する手段（３０）；
該テレビジョン信号を処理する手段に結合されて、テレビジョン信号に同調させる手段（２８）；
該テレビジョン信号を処理する手段に結合されて、補助データを処理する手段（３６）；
該テレビジョン信号を処理する手段に結合された、補助ビデオ信号出力手段（４２）；及び
該テレビジョン信号を処理する手段に結合され、プログラム命令（３１）を有するメモリ手段（３２）；
を有し；
該プログラム命令は、該テレビジョン信号を処理する手段によって実行された場合に、該テレビジョン信号受信器に：
ビデオ成分（１４）及び補助データ成分（１６）を有するテレビジョン信号（１１）を、該チューナを介して、受信する工程（１０２）；
主ビデオ信号及び補助ビデオ信号を該受信テレビジョン信号の該ビデオ成分から得る工程（１０４）；
補助データを該受信テレビジョン信号の該補助データ成分から該補助データ処理回路によって抽出する工程（１０６）；
該抽出補助データと該補助ビデオ信号とを該主ビデオ信号を用いて同期化させる工程（１０８）；及び
該同期化補助データと該補助ビデオ信号とを該補助出力に出力する工程（１１０）；
を行わせることを特徴とするテレビジョン信号受信器。
【請求項１４】
請求項１３記載のテレビジョン信号受信器（２２）であって、該メモリ手段（３２）は別のプログラム命令（３１）を有し、該別のプログラム命令は、該テレビジョン信号を処理する手段によって実行された場合に、該テレビジョン信号受信器に、該受信テレビジョン信号を処理して補助データを該補助データ成分から、字幕データを有する該補助データを介して、抽出する工程（１０６）を行わせることを特徴とするテレビジョン信号受信器。
【請求項１５】
請求項１３記載のテレビジョン信号受信器（２２）であって、該メモリ手段（３２）は
別のプログラム命令（３１）を有し、該別のプログラム命令は、該テレビジョン信号を処理する手段によって実行された場合に、該テレビジョン信号受信器に：
該同調させる手段を介して、ビデオ成分及び補助データ成分を有するテレビジョン信号を、受信する工程（１０２）；
を行わせ、該ビデオ成分は複数フレーム（１８）で、該複数フレームの各フレームが第１フィールド及び第２フィールド（ｆ１，ｆ２）を有するもの、を有し；
更に、該テレビジョン信号を処理する手段を介して、該テレビジョン信号を処理して主ビデオ信号及び補助ビデオ信号を該ビデオ成分から得る工程（１０４）；
を行わせ、該主ビデオ信号は複数フレーム（１８）で、該複数フレームの各フレームが第１フィールド及び第２フィールド（ｆ１，ｆ２）を有するもの、を有し、該補助ビデオ信号が複数フレーム（１８）で、該複数フレームの各フレームが第１フィールド及び第２フィールド（ｆ１，ｆ２）を有するもの、を有し；
更に、該抽出補助データと該補助ビデオ信号とを該主ビデオ信号を用いて同期化させる工程（１０８）；
を行わせ、該工程は、フィールド反転が該補助ビデオ信号の該フレームと該主ビデオ信号の該フレームとの間で存在するかを判定する工程（５０）を含むことを特徴とするテレビジョン信号受信器。
【請求項１６】
請求項１５記載のテレビジョン信号受信器（２２）であって、該メモリ手段（３２）は別のプログラム命令（３１）を有し、該別のプログラム命令は、該テレビジョン信号を処理する手段によって実行された場合に、該テレビジョン信号受信器に、該抽出補助データと該補助ビデオ信号とを該主ビデオ信号を用いて同期化させる工程（１０８）を行わせ、該工程は該補助ビデオ信号の該フレームのフィールドを、フィールド反転が該主ビデオ信号と該補助ビデオ信号との間で存在すると判定される（５０）場合に、反転させる工程（６４）を含むことを特徴とするテレビジョン信号受信器。
【請求項１７】
請求項１６記載のテレビジョン信号受信器（２２）であって、該メモリ手段（３２）は別のプログラム命令（３１）を有し、該別のプログラム命令は、該テレビジョン信号を処理する手段によって実行された場合に、該テレビジョン信号受信器に、該抽出補助データと該補助ビデオ信号とを該主ビデオ信号を用いて同期化させる工程（１０８）を行わせ、該工程は該補助ビデオ信号のフレームの出力フィールドを、逆インタレーサが用いられる場合に、反転させる工程（７０）を含むことを特徴とするテレビジョン信号受信器。
【請求項１８】
請求項１３記載のテレビジョン信号受信器（２２）であって、該メモリ手段（３２）は別のプログラム命令（３１）を有し、該別のプログラム命令は、該テレビジョン信号を処理する手段によって実行された場合に、該テレビジョン信号受信器に、該抽出補助データと該補助ビデオ信号とを該主ビデオ信号を用いて同期化させる工程（１０８）を行わせ、該工程は該主ビデオ信号の垂直ブランキング期間から導き出された垂直割り込み信号を利用する工程を含むことを特徴とするテレビジョン信号受信器。
【発明の詳細な説明】
【技術分野】
【０００１】
本発明は、一般的に、テレビジョン信号処理に関し、特に、システム、方法及び／又は装置で、テレビジョン信号の補助情報と補助ビデオ出力信号とを関連させるよう動作するもの、に関する。
【背景技術】
【０００２】
現行のテレビ受信機は一般に、補助出力で、ユーザがその出力に、装置で、該テレビ受信機が受信する該テレビジョン信号を利用するもの、を接続することを可能にするもの、を含む。該装置はそのように該テレビジョン信号のオーディオ信号及びビデオ信号を利用する。公知のように、テレビジョン信号に含まれる通常のオーディオ及びビデオの情報又はデータに加えて、テレビジョン信号は更に、補助情報又はデータとして知られるものを含み得る。そのような補助情報は一般に、テレテキスト・データ、字幕データ、拡張データ・サービス（ＸＤＳ）データなどを含むが、これらに限定されるものでない。これまで、該補助データは、オーディオ及びビデオのデータとともに補助出力に備えられなかったか、オーディオ及びビデオのデータとともに補助出力に時折備えられたかの何れかである。
【０００３】
更に、公知のように、テレビジョン信号のビデオ部分は情報のフィールドにおいて備えられ、２つのフィールドがフレームを構成する。インタレース・フォーマットとして知られるものでは、第１フィールドがディスプレイに備えられ、第２フィールドで第１フィールドにインタレースされるものがディススプレイに備えられる。順次走査モードでは、２つのフィールドが同時に（すなわち、線毎に）ディスプレイに備えられる。慣習では、補助データは第１フィールド及び第２フィールドの特定行に備えられる。
【発明の開示】
【発明が解決しようとする課題】
【０００４】
一形態では、補助データは字幕データとして知られるものを含むか構成する。字幕データはテレビジョン信号のオーディオ部分に対するテキストで、聴覚障害者を補助するようディスプレイ上に表示可能なもの、を備える。この情報は、本来は順次のものであるので、第１フィールドからの字幕データは第２フィールドからの字幕データより前に備えられることを要する。さもなければ、データが正常な配列で備えられない場合には、表示テキストは配列が狂ったもので、無意味なものになり、したがって聴覚障害者を補助する目的が果たせなくなってしまう。
【０００５】
字幕データが主ディスプレイの垂直割り込みを用いて補助出力に出力する場合、補助フィールド情報と主フィールド情報との間には差異があり得る。時には、その場合、主出力と補助出力との間でフィールド反転があり得るものであり、第１フィールド・データが第２フィールドに出力され得るものであり、逆も同様であるという問題点を発生させる。テレビジョン信号のビデオ部分については、これは問題でないものであり得る。しかしながら、字幕データ又は拡張データ・サービス（ＸＤＳ）データのような補助情報については、該フィールドが変更された場合、すなわち、補助情報が正しくないフィールドにある場合、字幕データ及びＸＤＳのデータを正しく抽出することを行い得ない。
【０００６】
したがって、上記から、テレビジョン受信器において受信テレビジョン信号からの補助情報（例えば、字幕及び／又はＸＤＳデータ）を正しく補助ビデオ信号に挿入する必要性が存在することが明らかである。
【０００７】
更に、上記からテレビジョン信号受信器において補助データと補助ビデオ出力信号とを同期化させる必要性が存在することが明らかである。
【課題を解決するための手段】
【０００８】
テレビジョン信号受信器として実施されるか該テレビジョン信号受信器において実施されるシステム、装置及び／又は方法は、テレビジョン信号の補助データと該テレビジョン信号から導き出され、該テレビジョン信号受信器の補助出力に備える補助ビデオ信号とを、該補助データと該補助ビデオ信号とを適切に表示することを可能にするように、同期化させる。
【０００９】
一形態では、テレビジョン信号受信器において補助データを補助ビデオ信号に挿入する方法を備える。該方法は：（ａ）ビデオ成分及び補助データ成分を有するテレビジョン信号を受信する工程；（ｂ）該テレビジョン信号を処理して主ビデオ信号及び補助ビデオ信号を該ビデオ成分から得る工程；（ｃ）該テレビジョン信号を処理して補助データを該補助データ成分から抽出する工程；（ｄ）該抽出補助データと該補助ビデオ信号とを該主ビデオ信号を利用して同期化させる工程；及び（ｅ）該同期化補助データと該補助ビデオ信号とを該テレビジョン信号受信器の補助出力に出力する工程；を含む。
【発明を実施するための最良の形態】
【００１０】
添付図面における相当する参照文字はいくつかの図を通じて相当する部分を示すものとする。
【実施例】
【００１１】
本発明の原理によってテレビジョン信号器としてか該テレビジョン受信器において実施されたシステム、装置及び／又は方法はテレビジョン信号の補助データと、テレビジョン信号から導き出され、テレビジョン信号器の補助出力に備えられる補助ビデオ信号とを、補助データと補助ビデオ信号とを適切に表示することを可能にするために、同期化させる。本発明の一実施例では、テレビジョン信号受信器は主テレビジョン信号のビデオ部分（すなわち、主ビデオ信号）と補助出力テレビジョン信号のビデオ部分（すなわち、補助ビデオ信号）との間のフィールド情報のトラッキングを行い、該２つのビデオ信号の間のフィールド反転を判定する。主ビデオ信号と補助出力テレビジョン信号の補助ビデオ信号との間のフィールド反転を判定することを通じて、字幕、拡張データ・サービスなどのような補助データは補助テレビジョン信号出力に、該出力に備えられるビデオ・データの配列として適切な配列で、備えられる。該補助データを適切に配列することによって補助データとテレビジョン信号の補助ビデオ部分とを適切に補助テレビジョン信号出力に備えることを可能にする。更に、該システム、方法及び／又は装置は、逆インタレーサが用いられる（すなわち、順次走査画像に適した信号を生成する）場合、フィールド遅延を備える。
【００１２】
次に図１を参照すれば、概括的に１０と表すテレビジョン信号システムのブロック図を表す。テレビジョン信号システム１０は概括的に１１と表すテレビジョン信号を備える。テレビジョン信号１１はアナログのテレビジョン信号及び／又はディジタルのテレビジョン信号を表す。更に、テレビジョン信号１１は、２つ以上のテレビジョン・チャンネルでなくても、少なくとも１つのテレビジョン・チャンネルを表し、各テレビジョン・チャンネル又は信号は番組すなわちプログラミングを収容する。下記では、テレビジョン信号１１は単一のテレビジョン・チャンネルであるものとするが、ディジタル・テレビジョン信号の場合のように、複数のテレビジョン・チャンネルをそれによって収容し得る。
【００１３】
テレビジョン信号１１はオーディオ成分１２を有する。オーディオ成分はオーディオを再生するようそのテレビジョン・チャンネル又は番組のオーディオ情報又はデータを収容する。オーディオ成分１２の形態は、その一特徴によれば、テレビジョン信号１１がアナログのテレビジョン信号かディジタルのテレビジョン信号かであることと一致する。その別の特徴によれば、オーディオ成分１２は公知のような、如何なる手法、フォーマットなどによっても備え得る。
【００１４】
テレビジョン信号１１は更に、ビデオ成分１４を有する。ビデオ成分はビデオを再生するようそのテレビジョン・チャンネル又は番組のビデオ情報又はデータを収容する。ビデオ成分１４の形態は、その一特徴によれば、テレビジョン信号１１がアナログのテレビジョン信号かディジタルのテレビジョン信号かであることと一致する。その別の特徴によれば、ビデオ成分１４は公知のような、如何なる手法、フォーマットなどによっても備え得る。
【００１５】
テレビジョン信号１１は更に、補助データ成分１６すなわち補助情報成分を有する。該補助データ成分１６は補助データを、テレビジョンのチャンネル又は番組と関係のあるなしにかかわらず、収容する。アナログのテレビジョン信号の場合、補助データは公知のような垂直ブランキング期間（ＶＢＩ）において収容されるデータを有し得る。この情報は、字幕データ、テレテキスト・データ、Ｖチップ・データ（すなわち、テレビジョン信号が収容する特定のテレビジョン番組に対するパレンタル・コントロールすなわち視聴率のデータ）、拡張データ・サービス（ＸＤＳ）のデータ、テスト・データ、及び／又は別の情報を含むが、これらに限定されるものでない。ディジタル・テレビジョン信号の場合には、補助データはＰＳＩＰ（番組及びシステム情報プロトコル）情報又はデータとして備えられる。アナログのテレビジョン信号のＶＢＩに含まれる同様な種類の情報に加えて、ＰＳＩＰ情報は更に、オフエア・ガイドとして知られるものを含む。該オフエア・ガイドは仮想チャンネル番号、番組タイトル及び、別の情報で、特定の番組及びチャンネルに関する種々の情報を表示するのに用いられるもの、を含む。ＰＳＩＰデータは更に、（オフエア・ガイドにあるか否かにかかわらず）パレンタル・コントロール用視聴率情報を含む。その形態に拘わらず、補助データは本明細書及び特許請求の範囲において特に言及しない別の情報及び／又はデータを備え得る。
【００１６】
図２を更に参照すれば、テレビジョン信号１１のビデオ成分１４を表したものを示す。ビデオ成分１４はフレーム１８１、１８２乃至１８Ｎとして表されるが、概括的に１８として表し得る、複数のフレームを含む。複数フレーム１８は番組のビデオ部分を構成し、適切に、組み立てられる場合及び／又は配列される場合、ディスプレイ上に表示可能である。各フレーム１８は２つのフィールドｆ１及びｆ２を有し、各々が複数行の情報を有する。１つのフレーム１８１のみを２つのフィールドｆ１及びｆ２とともに表すが、各フレーム１８は２つのフィールドを有することが分かるものである。テレビジョン信号の種類及び／又はテレビジョン信号受信器の種類に応じて、フレーム及び／又はフィールドが処理される。各フィールドの行の情報はビデオ・データ、テレビジョン制御データ、（アナログのテレビジョン信号に対する）補助データ、及び公知のような別のデータを含む。
【００１７】
図１のシステム１０をもう一度参照すれば、テレビジョン信号１１は次に、伝送ボックス２０によって表すように、テレビジョン信号受信器（ＴＳＲ）２２まで伝送される。伝送装置２０はオーバ・ザ・エアによる伝送、衛星、ケーブル及び／又は同様のものを含む。伝送装置２０は更に、再送信で、テレビジョン信号１１がテレビジョン信号受信器２２に配信される如何なる方法をも含むもの、を含む。テレビジョン信号受信器２２は一般に、周知であるようなテレビ受信機であるが、セット・トップ・ボックス（例えば、ケーブル放送受信ボックス若しくは衛星放送受信ボックス）又は別の構成部分で、テレビジョン信号を受信し、処理するよう、動作するもの、形成されるもの、及び／又は構成されるもの、である。
【００１８】
図３では、本発明の原理による例示的テレビジョン信号受信器２２のブロック図を表す。特に、テレビジョン信号受信器２２はテレビジョン信号１１を受信するよう動作し、本明細書及び特許請求の範囲において備えるようなテレビジョン信号を処理する。テレビジョン信号受信器２２は一体化されたディスプレイ２２を含んでいても含んでいなくてもよいことが当初分かるものである。テレビジョン信号受信器２２が一体化されたディスプレイ２４を含まない場合、テレビジョン信号受信器２２はディスプレイ２４に接続可能である。両方の場合において、ディスプレイ２４は、受信テレビジョン信号において備えられ、テレビジョン信号受信器２２によって処理され、主ビデオ信号として出力されるように、形成されるもの、構成されるもの、及び／又は、動作するもの、である。テレビジョン信号受信器２２はしたがって、（一体化されたディスプレイを有する）テレビ受信機、（ディスプレイに接続可能な）セット・トップ・ボックス、（ディスプレイに接続可能な）衛星放送受信器、又は公知の同様なもののような、各種のテレビジョン信号処理システムとして実施し得る。更に、テレビジョン信号受信器２２は一体化されたスピーカ２５で、テレビジョン信号のオーディオ成分１２を再生するよう形成されたもの、を有していても、有していなくてもよい。
【００１９】
テレビジョン信号受信器２２は入力２６で、テレビジョン信号１１、好ましくは複数のテレビジョン信号（例えば、ディジタル・テレビジョン（ＤＴＶ）トランスポート・ストリーム（ＴＳ）若しくは信号及び／又はアナログのテレビジョン・チャンネル／信号）、に接続され、したがって受信するよう、形成されたもの、構成されたもの、及び／又は動作するもの、を有する。チューナ２８で、特定のテレビジョン・チャンネルを受信して同調させるよう形成されたもの、構成されたもの、及び／又は動作するもの、を備える。チューナ２８は、場合によって、ディジタル・テレビジョン信号及びアナログ・テレビジョン信号か、ディジタル・テレビジョン信号又はアナログ・テレビジョン信号かの何れかに同調させるよう動作するもの、構成されたもの、及び／又は形成されたものである。チューナ２８はしたがって２つのチューナで、一方がディジタル・テレビジョン信号用で、他方がアナログ・テレビジョン信号用のもの、を表し得る。当然、別の構成が用いられ得るものであり、想定される。
【００２０】
テレビジョン信号受信器２２は更に、テレビジョン信号処理回路／ロジック、プロセッサ、処理手段、又は同様なもの３０を含む。テレビジョン処理回路／ロジックは単一のブロック又は構成部分として表す一方、テレビジョン処理回路／ロジック３０は、別の回路／ロジックのあるなしにかかわらず、１つ以上の集積回路（ＩＣ）として実施し得る。テレビ処理回路／ロジックは、アナログ・テレビジョン信号及び／又はディジタル・テレビジョン信号を、場合によって、音再生用オーディオ成分１２、表示用ビデオ成分１４を得て、補助情報成分１６を分離させるために、処理するよう形成されたもの、構成されたもの、及び／又は動作するものである。テレビジョン処理回路／ロジック３０は更に、本発明の原理によって本明細書及び特許請求の範囲に記載した機能、と一般的であるもの並びに／若しくは公知のもののような別のテレビジョン信号受信器のタスクを実行し、更に、テレビジョン信号受信器２２の構成部分の概括的な制御、調整、及び／又は動作を行うよう形成されたもの、構成されたもの、及び／又は動作するものである。この目的で、テレビジョン処理回路／ロジック３０はプログラミング（ソフトウェア）、プログラム命令３１及び／又は同様なもので、メモリ３２に格納されているものを利用するよう形成されたもの、構成されたもの、及び／又は動作するものである。プログラム命令３１は当然、テレビジョン信号受信器２２との互換性を有する如何なる言語で書かれていても良い。メモリ３２はＲＡＭ、ＲＯＭ、若しくは同様なもの、及び／又は適宜各種のメモリの組み合わせであり得る。そういうものとして、メモリ３２はプログラム命令以外のもので、テレビジョン動作選好、チャンネル・リスト、ユーザによってプログラム化された局識別子、などを格納するよう動作する。
【００２１】
本発明の原理によって、テレビジョン信号処理回路／ロジック３０はテレビジョン信号の処理ビデオ成分をディスプレイ２４に主ビデオ信号として備えるよう動作する。テレビジョン信号処理／ロジック３０は更に、テレビジョン信号の処理ビデオ成分を補助出力４２に補助ビデオ信号として備えるよう動作する。
【００２２】
更に、テレビジョン信号受信器２２はユーザ入力装置及び／又は受信器３４を含む。ユーザ入力装置／受信器３４はテレビジョン信号受信器２２に関する特徴、特性及び／又は選好に関するユーザからの入力を受理又は受信するよう形成されるもの、構成されるもの、及び／又は動作するものである。一形態では、ユーザ入力装置／受信器３４は遠隔制御器（図示せず）及びＩＲ送信器／受信器のような関連する遠隔制御受信器であり得る。別の形態では、ユーザ入力装置／受信器３４はボタンを有するパネル又は同様なもので、ユーザが入力することを可能にするもの、であり得る。ユーザ入力は、種々の、画面上のメニューでの選択肢及び／又はオプションとして備える機能及び／特性の選択肢に応じたような、目的でテレビジョン信号受信器２２によって受理される。
【００２３】
なお更に、テレビジョン信号受信器２２は補助データ処理回路／ロジック３６で、テレビジョン信号処理回路／ロジック３０によってテレビジョン信号１１から分離又は抽出されるか、補助データ処理回路／ロジック３６によってテレビジョン信号１１の補助データ成分１６から分離又は抽出されるような、補助データ成分１６を受信し、そのコンテンツの種類に適切な補助データを処理するよう動作するもの、形成されたもの、及び／又は構成されたもの、を有する。一形態では、補助データ処理回路／ロジック３６は特に字幕データを抽出するよう動作する。しかしながら、補助データ処理回路／ロジック３６は好ましくはＸＤＳ、テレテキスト、などのような別の補助データを抽出するよう動作することが分かるものである。本発明は以下、字幕データとの関連で記載するが、本発明は別の種類の補助データにも同様に適用されることが分かるものである。
【００２４】
補助データ処理回路／ロジック３６は抽出された字幕データを主ディスプレイ補助データ・バッファ３８に供給する。主ディスプレイ補助データ・バッファは字幕データを一時的に格納し、該データを適切な時点で適切な配列で備えるよう動作するもの、形成されたもの、及び／又は構成されたものである。主ディスプレイ補助データ・バッファ３８は主ビデオ成分からの垂直割り込みを利用して適切に字幕データをディスプレイ２４に主ビデオ信号とともに備える。
【００２５】
補助データ処理回路／ロジック３６は更に、抽出字幕データを補助出力補助データ・バッファ４０に供給する。補助出力補助データ・バッファ４０は一時的に字幕データを格納し、該データを補助出力４２に適切な時点で適切な配列で備えるよう動作するもの、形成されたもの、及び／又は構成されたものである。補助出力補助データ・バッファ４０は主ビデオ成分からの垂直割り込みを利用して適切に字幕データを補助出力４２に補助ビデオ信号とともに備える。
【００２６】
テレビジョン信号受信器２２は更に、本明細書及び特許請求の範囲において特に表していない別の成分及び／又は説明していない別の成分で、ディジタル・テレビジョン信号受信器に特有なもの、を含む。更に、テレビジョン信号受信器２２は現行のテレビジョン信号受信器に特有な多くの特徴及び／又は機能に対応する。
【００２７】
テレビジョン信号受信器２２はメモリ３２に、プログラム命令３１で、処理回路／ロジック３０によって、テレビジョン信号受信器２２を動作させるよう、実行可能なもの、及び／又は、別の構成部分によって、その動作を行うよう、実行可能なもの、を格納する。本発明の原理によれば、プログラム命令３１は補助データの補助ビデオ出力信号に対する同期化に備える。これは補助ビデオ信号を主ビデオ信号と関連させることによって実現される。一例示的形態では、これは主ビデオ割り込み信号（例えば、ＶＢＩ）を用いて実現される。特に、これは、一例示的方法では、主ビデオ信号と補助ビデオ信号との間のフィールド反転の検出を通じて実現し得る。特に、一例示的方法では、本発明は抽出字幕データを補助出力４２に主ビデオ信号の垂直割り込み信号で、好ましくは垂直同期信号又はそこからの垂直ブランキング期間信号から導き出されたか、垂直同期信号又はそこからの垂直ブランキング期間信号であるもの、を用いて、送出する。時には、主ディスプレイ・フィールドと補助ディスプレイ・フィールドとは、主信号と補助信号との間でクロック周波数が異なり得るので、同じでないことがあり得る。例えば、主ディスプレイ（主ビデオ信号）は６０Ｈｚ、５９．９４Ｈｚ、３０Ｈｚ、及び２９．９７Ｈｚのうちの１つを有する周波数を有し得る。主ビデオ信号については、順次走査モードではこれは６０Ｈｚ又は５９．９４Ｈｚであり、インタレース・モードでは３０Ｈｚ又は２９．９７Ｈｚである。しかしながら、補助ビデオ信号はおそらく、２９．９７Ｈｚのインタレース・モードのものである。したがって、プログラム命令３１は（ディスプレイ２４用）主ビデオ信号と（補助出力４２用）補助ビデオ信号との間にフィールド反転が存在するか否かを確認又は検出することに備える。これによって、補助データの補助ビデオ信号との同期化を適切に備え、字幕を補助ビデオ信号出力に適切に備える。
【００２８】
特に、テレビジョン信号受信器２２は主ビデオ信号と補助ビデオ信号との間に割り込みルーチン中にフィールド反転が存在するか否かを検出又は判定する。字幕データはフィールド間に出現するので、割り込みルーチンはルーチンを開始させる割り込みとして、主ビデオ信号の垂直同期信号又は垂直ブランキング信号を利用する。更に、テレビジョン信号受信器２２は適切に字幕データを補助出力４２に割り込みルーチンに基づいて備える。一形態では、テレビジョン信号受信器は割り込みルーチンを利用して、主ディスプレイ信号（主ビデオ信号）に対する補助ディスプレイ信号（ビデオ信号）の位相を、主ディスプレイ割り込みを用いて、確かめる。このルーチンは一般に、チャンネル同調（チャンネル変更）が開始されたか字幕の「オン」状態がテレビジョン信号受信器２２によって認識された後に実現される。別の形態では、該ルーチンは垂直割り込みが発生した都度、実施し得る。
【００２９】
次に図４を参照すれば、概括的に１００として表す、流れ図で、本発明の原理によってテレビジョン信号受信器においてテレビジョン信号からの補助データと補助ビデオ信号とを、全体として、同期化させることが表されている。ブロック１０２では、テレビジョン信号受信器２２はテレビジョン信号１１を受信する。テレビジョン信号１１はビデオ成分１４及び補助データ成分１６を含む。テレビジョン信号受信器２２はその後、ブロック１０４で、受信テレビジョン信号（すなわち、そのビデオ成分）を処理して主ビデオ信号及び補助ビデオ信号を得る。主ビデオ信号は順次走査モードとインタレース・モードとの何れかで、かつ、上記の周波数の１つで、テレビジョン信号受信器のディスプレイ２４に備えられるものである。補助ビデオ信号は一般に、通常、上記の２つの周波数のうちの１つによるインタレース・モードで、テレビジョン信号受信器２２の補助出力に供給されるものであるが、必ずしもそうでなくてよい。
【００３０】
テレビジョン信号受信器は、ブロック１０６で、受信テレビジョン信号（すなわち、補助データ成分）を処理して補助データ（例えば、字幕データ）を取得又は抽出する。字幕データは主ビデオ信号に供給され、場合によってはそれとともに表示し、特に補助ビデオ信号とともに供給され、場合によってはそれとともに表示する。ブロック１０８では、テレビジョン信号受信器２２は更に、抽出補助データと補助ビデオ信号とを、補助データが補助ビデオ信号とともに表示可能であること及び／又はそれとともに適切な配列にあることを実現するために、同期化させる。その後、ブロック１１０では、テレビジョン信号受信器２２は補助ビデオ信号と同期化された補助データをその補助出力に備える。
【００３１】
図４の流れ図１００に関して説明したルーチン又は方法は単に、補助データを補助ビデオ信号に挿入及び／又は同期化させる方法を例示するものであることを理解すべきである。別のルーチン、方法及び／又はそのバージョンが考えられ、想定される。
【００３２】
次に図５を参照すれば、本発明の特徴によってテレビジョン信号受信器２２の補助出力４２に出力される補助ビデオ信号とテレビジョン信号受信器２２の主ビデオ信号との間でフィールド反転が発生したか否かを、特に補助データを補助ビデオ信号と同期化させるために、判定又は検出する、概括的に５０と表す、流れ図を表す。ブロックすなわち工程５２では、主ビデオ信号の垂直割り込みが得られる。ブロック５４では、テレビジョン信号受信器２２は割り込みがフィールド１に対するものであるか否かを判定する。割り込みがフィールド１に対するものである（はい（ｙｅｓ）を「Ｙ」によって表す）場合、ルーチン５０は次にブロック６０に飛ぶ。フィールド１は常にフィールド２より前に備えられるので、フィールド１が開始点となるが、それは字幕データもフィールド１で開始するものであるからである。ブロック６０では、ルーチン５０は補助ビデオ信号からフィールド情報を得る。その後、ブロック６２で、ルーチン５０はブロック６０で得た補助フィールド情報を利用して主ビデオ信号と補助ビデオ信号とが同じフィールドにあるか否かを判定する。主ビデオ信号は既に、ブロック５４でフィールド１にあるものと判定されている。主ビデオ信号と補助ビデオ信号とが同一のフィールドにあるものと判定される（はいを「Ｙ」によって表す）場合、該ルーチンはブロック６６に戻る。ブロック６６は補助ビデオ信号に対するテレビジョン信号受信器のフィールド反転モードを「オフ」状態に設定又は維持する。その後、該ルーチンはブロック６８に進み、該ルーチンは終了する。ブロック６２で主ビデオ信号及び補助ビデオ信号が同一のフィールドにないと判定される（いいえ（ｎｏ）を「Ｎ」で表す）場合、該ルーチンはブロック６４に進む。ブロック６４では、該ルーチンは補助ビデオ信号に対するテレビジョン信号受信器のフィールド反転モードを「オン」状態に設定又は維持する。その後、該ルーチンはブロック６８に進み、該ルーチンは終了する。
【００３３】
ブロック５４では、ブロック５２で得られた割り込みがフィールド１に対するものでないと判定される（いいえを「Ｎ」によって表す）場合、該ルーチンはブロック５６に進む。ブロック５６では該ルーチンはテレビジョン信号受信器２２（ＴＳＲ）が主ビデオ信号に対して順次走査モードにあるか否かを判定する。ブロック５６で、テレビジョン信号受信器２２が順次走査モードにない（テレビジョン信号受信器がインタレース・モードにあることを示す、いいえ、を「Ｎ」によって表す）場合、該ルーチンはブロック６８に進み、該ルーチンは終了する。ブロック５６で、テレビジョン信号受信器が（はいを「Ｙ」によって表す）順次走査モードにあると判定される場合、該ルーチンはブロック５８に進む。
【００３４】
ブロック５８では、該ルーチンは主ビデオ信号に対する現行行番号がフィールド１に対するものであるか否かを判定する。現行行番号がフィールド１に対するものでないと判定される（いいえを「Ｎ」によって表す）場合、該ルーチンはブロック６８に進み、終了する。現行行番号がフィールド１に対するものであると判定される（はいを「Ｙ」によって表す）場合、該ルーチンはブロック６０に進む。ブロック６０及びそれに後続する工程は上記に記載している。
【００３５】
図５の流れ図５０から、テレビジョン信号受信器２２が、一例示的方法において、どのようにして、補助ビデオ信号が、字幕を備えるよう、主ビデオ信号と同一のフィールドにあるか否かを検出するかが分かり得る。このルーチンでは、（行番号４乃至５でのような）行番号割り込みを垂直割り込みとして、フィールド１割り込みをこの垂直割り込みを通じて得ることが、主ディスプレイ信号（主ビデオ信号）生成装置がインタレース・モードではなく、順次走査モードにある場合でも、可能になるように、備え得る。したがって、これがなぜ該ルーチンが現行行番号を確かめることを要するかということの理由である。該主信号及び補助信号が同一のフィールドにあるか否かを検出するためである。更に、１乃至２の時間的フィールド反転を防止するよう遅延を制御する（例えば、ヒステリシスを加える）ことが望ましいものであり得る。
【００３６】
次に図６を参照すれば、字幕データを補助バッファ４０に後続フィールド用に、抽出字幕データと補助ビデオ信号とを同期化させるために、入れるルーチンの概括的に７０として表す流れ図を表す。ブロック７２では、字幕データ出力を備えるルーチンが開始する。その後、ブロック７４では、テレビジョン信号受信器が、逆インタレースが用いられているか否かを判定し、判定結果が肯定の場合、逆インタレーサ用遅延フィールドが奇数であるかを判定する。逆インタレースが用いられていないものと判定される（いいえを「Ｎ」によって表す）場合、該ルーチンはブロック７８に進む。逆インタレースが用いられ、該フィールドが奇数のものであると判定される（はいを「Ｙ」で表す）場合、該ルーチンはブロック７６に進む。ブロック７６では出力フィールドは反転される。その後、該ルーチンはブロック７８に進む。
【００３７】
ブロック７８では、該ルーチンは主ディスプレイが順次走査モードにあるか否かを判定する。主ディスプレイが順次走査モードにあると判定される（はいを「Ｙ」によって表す）場合、該ルーチンはブロック８０に進み、出力フィールドは反転される。該ルーチンは次に、ブロック８２に進む。ブロック７８では、主ディスプレイが順次走査モードにないと判定される（いいえを「Ｎ」によって表す）場合、該ルーチンはブロック８２に進む。
【００３８】
ブロック８２では、テレビジョン信号受信器はフィールド反転モードが（図４のルーチン５０によって設定されるように）「オン」状態にあるか否かを判定する。フィールド反転モードが「オン」状態にある（はいを「Ｙ」によって表す）場合、該ルーチンはブロック８４に進む。ブロック８４では、テレビジョン信号受信器は出力フィールドを反転させる。その後、該ルーチンはブロック８６に進む。テレビジョン信号受信器２２がブロック８２でフィールド反転モードが「オン」状態にないと判定する（いいえを「Ｎ」によって表す）場合、該ルーチンはブロック８６に進む。ブロック８６では、該ルーチンは更に、字幕データを補助出力に出力する。その後、該ルーチンはブロック８８において終了する。
【００３９】
図６の流れ図７０からは、一例示的方法において、いかにしてテレビジョン信号受信器２２が正しいフィールドに字幕データを配置し得るかが分かり得る。逆インタレーサを含むシステムでは、フィールド情報を一度反転させることを要するが、それは該システムが、該逆インタレーサが動作している場合には１フィールド分の遅延を発生させるからである。主ビデオ信号に対する順次走査モードでは、フィールド情報を一度反転させることを要するが、それはこの場合、１フィールド分の遅延があるからである。更に、図５のルーチン５０から来るフィールド反転情報を用いることが考えられる。したがって、本明細書及び特許請求の範囲に記載したシステムによって、本明細書及び特許請求の範囲において明らかにした場合が上記のように確かめられた場合には、正しいフィールドに字幕データを配置させることが可能となる。
【００４０】
本発明の原理による方法は図４、５並びに６の流れ図１００、５０並びに７０に関して記載した工程以外の工程、及び／又は、該記載した工程とは異なる工程若しくは該記載した工程を修正した工程を含み得ることが分かるものである。更に、フィールド反転を検出又は判定し、字幕（補助データ）を補助出力に適切に備える別の方法が想定され、推定される。
【００４１】
本発明は好ましいデザインを有するものとして記載したが、本発明は更に本発明の開示内容の趣旨及び範囲に収まる範囲内で更に修正し得る。この出願はしたがって、本発明のその概括的な原理を用いた如何なる変形、用途、又は形成をも網羅することを意図するものである。更に、この出願は、本発明からのそのような逸脱で、本発明に関し、本特許請求の範囲内に収まる公知又は慣例、の範囲内に収まるようなもの、を網羅することを意図するものである。
【図面の簡単な説明】
【００４２】
【図１】本発明の原理によるテレビジョン信号受信器を組み入れたテレビジョン・システムを表すブロック図である。
【図２】テレビジョン信号のビデオ成分を表す図である。
【図３】本発明の原理による例示的テレビジョン信号器のブロック図である。
【図４】本発明の原理によってテレビジョン信号受信器において補助データと補助ビデオ信号とを同期化させる例示的方法の流れ図である。
【図５】フィールド反転を検出する例示的方法、特に本発明の一特徴によって主ディスプレイ割り込みを用いて主ディスプレイ信号に対する補助ディスプレイ信号の位相を確かめる割り込みルーチン、で、特に適切に補助情報を補助ビデオ出力信号に挿入するために主ビデオ信号に対して補助ビデオ出力信号を同期化させるもの、の流れ図である。
【図６】本発明の別の特徴によって正しいフィールドに対して字幕データ（すなわち、補助情報／データ）を出力する例示的方法で、特に字幕データを補助ビデオ出力信号に挿入するためのもの、の流れ図である。
【図１】
2005524295.tif 000003
【図２】
2005524295.tif 000004
【図３】
2005524295.tif 000005
【図４】
2005524295.tif 000006
【図５】
2005524295.tif 000007
【図６】
2005524295.tif 000008
【国際調査報告】
2005524295.tif 000009
2005524295.tif 000010